(57)【要約】【課題】特に、アクチュエータを有効に削減して小型及び経済的に構成することを可能にする。【解決手段】幅寄せ装置５４は、蓄積性蛍光体シートを湾曲姿勢で幅寄せ位置に一端保持するための保持機構５６と、前記蓄積性蛍光体シートの幅寄せ基準機構５８側に対向する押し込み側に配置され、前記蓄積性蛍光体シートを該幅寄せ基準機構５８側に押圧して幅寄せする幅寄せ機構６０とを備える。保持機構５６は、蓄積性蛍光体シートを３点で支持するとともに、それぞれ固定型ガイドを構成する第１〜第３ガイド部材６２、６４及び６６を設ける。【選択図】図２
2006176263.tif 000002
【特許請求の範囲】
【請求項１】
搬送されるシート体を搬送方向に交差する幅方向に幅寄せするためのシート体の幅寄せ装置であって、
前記シート体を湾曲姿勢で幅寄せ位置に一旦保持するための保持機構と、
前記シート体の幅寄せ基準側に対向する押し込み側に配置され、前記シート体を該幅寄せ基準側に押圧して該シート体の幅寄せを行う幅寄せ機構と、
を備え、
前記保持機構は、前記シート体の搬送方向一端縁部を保持する第１ガイド部材と、
前記シート体の搬送方向他端縁部を保持する第２ガイド部材と、
前記第１及び第２ガイド部材の間で且つ該第１及び第２ガイド部材とは反対側から前記シート体を保持する第３ガイド部材と、
を設けるとともに、
少なくとも前記第１ガイド部材は、固定型ガイドを構成することを特徴とするシート体の幅寄せ装置。
【請求項２】
請求項１記載の幅寄せ装置において、前記第１ガイド部材は、前記シート体を湾曲搬送路に沿って案内するためのガイド板に設けられることを特徴とするシート体の幅寄せ装置。
【請求項３】
請求項２記載の幅寄せ装置において、前記第２ガイド部材は、前記ガイド板により構成されることを特徴とするシート体の幅寄せ装置。
【請求項４】
請求項１記載の幅寄せ装置において、前記第２ガイド部材は、搬送ローラ対を構成する一方のローラであることを特徴とするシート体の幅寄せ装置。
【発明の詳細な説明】
【技術分野】
【０００１】
本発明は、搬送されるシート体を搬送方向に交差する幅方向に幅寄せするためのシート体の幅寄せ装置に関する。
【背景技術】
【０００２】
人体等の放射線画像を記録する画像記録担体（シート体）としてＸ線写真フイルムが知られている。また、Ｘ線写真フイルムに代えて、放射線（Ｘ線、α線、β線、γ線、電子線、紫外線等）を照射すると、その放射線エネルギの一部を蓄積し、後にレーザ光や可視光等の励起光を照射することで、蓄積されたエネルギに応じた輝尽発光を示す蓄積性蛍光体層を有する蓄積性蛍光体シートも多用されている。
【０００３】
これらの画像記録担体は、通常、遮光性のカセッテやマガジン等の容器に収納された状態で取り扱われる。カセッテは、シート状の画像記録担体を１枚ずつ収納するように構成されている。このカセッテが用いられるシステムでは、例えば、予め放射線画像情報が記録された画像記録担体が収容されたカセッテを装填するカセッテ装填部と、前記カセッテから取り出された前記画像記録担体に担持された放射線画像情報を読み取る読取部と、前記画像記録担体に残存する放射線画像情報を消去する消去部とを組み込むカセッテ方式の画像情報読取装置が採用されている。また、マガジンが用いられるシステムでは、上記のカセッテ方式と同様に構成される画像情報読取装置が採用されている。
【０００４】
ところで、この種の画像情報読取装置内では、画像記録担体が搬送ローラやガイド板を含む搬送系を介して容器から読取部及び消去部に搬送された後、前記容器に戻されている。その際、画像記録担体は、搬送方向に交差する方向に位置ずれが発生し易く、高精度な読取処理を遂行するために、前記画像記録担体を幅寄せする構造が採用されている。
【０００５】
例えば、特許文献１に開示されているシート体の幅寄せ装置では、シート体を幅寄せ位置に一旦保持するためのストッパ手段と、前記シート体の幅寄せ基準側に配置され、該シート体の面方向に交差する方向に回転軸を有するとともに、外周面が前記シート体の端面に接触して回転可能な少なくとも２つの回転体と、前記幅寄せ基準側に対向する押し込み側に配置され、前記シート体を該幅寄せ基準側に押し込んで該シート体の幅寄せを行う押し込み手段とを備えている。
【０００６】
そこで、シート体がストッパ手段を介して幅寄せ位置に一旦保持された後、押し込み手段がこのシート体を幅寄せ基準側に押し込む。これにより、幅寄せ基準側に配置されている少なくとも２つの回転体がシート体の端面に接触して該シート体の幅寄せが行われる。
【０００７】
【特許文献１】特開平１１−３０１８８９号公報（第２図）
【発明の開示】
【発明が解決しようとする課題】
【０００８】
上記の特許文献１では、ストッパ手段として、シリンダを介して昇降自在な板状ストッパを備えている。ところが、最近、幅寄せ装置を小型に且つ経済的に構成することが望まれており、シリンダ等のアクチュエータを削減したいという要請がある。
【０００９】
本発明はこの種の要請に対応してなされたものであり、特にアクチュエータを有効に削減して小型及び経済的に構成することが可能なシート体の幅寄せ装置を提供することを目的とする。
【課題を解決するための手段】
【００１０】
本発明は、搬送されるシート体を搬送方向に交差する幅方向に幅寄せするためのシート体の幅寄せ装置である。幅寄せ装置は、シート体を湾曲姿勢で幅寄せ位置に一旦保持するための保持機構と、前記シート体の幅寄せ基準側に対向する押し込み側に配置され、前記シート体を該幅寄せ基準側に押圧して該シート体の幅寄せを行う幅寄せ機構とを備えている。
【００１１】
保持機構は、シート体の搬送方向一端縁部を保持する第１ガイド部材と、前記シート体の搬送方向他端縁部を保持する第２ガイド部材と、前記第１及び第２ガイド部材の間で且つ該第１及び第２ガイド部材とは反対側から前記シート体を保持する第３ガイド部材とを設けるとともに、少なくとも前記第１ガイド部材は、固定型ガイドを構成している。
【００１２】
また、第１ガイド部材は、シート体を湾曲搬送路に沿って案内するためのガイド板に設けられることが好ましい。第１ガイド部材の構成が有効に簡素化するからである。
【００１３】
さらに、第２ガイド部材は、ガイド板により構成されることが好ましく、さらにまた、前記第２ガイド部材は、搬送ローラ対を構成する一方のローラであることが好ましい。このため、専用の第２ガイド部材を設ける必要がなく、構成が簡素化されるとともに、経済的である。
【発明の効果】
【００１４】
本発明によれば、シート体は、幅寄せ位置で第１〜第３ガイド部材を介して少なくとも３点で支持されており、搬送ローラ等の搬送系をこのシート体から離脱させた状態で、前記シート体を確実に支持することができる。しかも、少なくともシート体の搬送方向一端縁部を保持する第１ガイド部材は、固定型ガイドを構成しており、前記第１ガイド部材の構成が有効に簡素化される。
【００１５】
このため、アクチュエータを有効に削減することが可能になり、幅寄せ装置全体を小型及び経済的に構成することができる。
【発明を実施するための最良の形態】
【００１６】
図１は、本発明のシート体の幅寄せ装置が適用される画像読取装置１０の内部構成図である。
【００１７】
画像読取装置１０は、ケーシング１２の上部にカセッテ装填部１４を備え、このカセッテ装填部１４に形成された装填口１５に対して、放射線画像情報が蓄積記録された画像記録媒体、例えば、蓄積性蛍光体シート（シート体）１６ａ（１６ｂ、１６ｃ）を収容したカセッテ１８ａ（１８ｂ、１８ｃ）が装填される。
【００１８】
カセッテ１８ｂは、カセッテ１８ａよりも幅サイズが小さく、カセッテ１８ｃは、前記カセッテ１８ｂよりも幅サイズが小さい。カセッテ１８ｂに収容される蓄積性蛍光体シート１６ｂは、前記カセッテ１８ａに収容される蓄積性蛍光体シート１６ａよりも幅サイズが小さく、カセッテ１８ｃに収容される蓄積性蛍光体シート１６ｃは、前記カセッテ１８ｂに収容される蓄積性蛍光体シート１６ｂよりも幅サイズが小さい。
【００１９】
なお、以下の説明では、カセッテ１８ａ及び蓄積性蛍光体シート１６ａを用いているが、カセッテ１８ｂ、１８ｃ及び蓄積性蛍光体シート１６ｂ、１６ｃも同様である。
【００２０】
カセッテ１８ａは、蓄積性蛍光体シート１６ａを収容する本体部２０と、蓄積性蛍光体シート１６ａを出し入れさせるための開口部２２を形成する蓋部材２４とを備えている。
【００２１】
画像読取装置１０の内部の装填口１５に近接する部位には、カセッテ１８ａの蓋部材２４のロックを解除するロック解除機構２８と、前記蓋部材２４が開蓋されたカセッテ１８ａから蓄積性蛍光体シート１６ａを吸着して取り出す吸着盤３０と、前記吸着盤３０によって取り出された前記蓄積性蛍光体シート１６ａを挟持搬送するローラ対３２とが配設される。なお、ロック解除機構２８は、カセッテ１８ａに挿入されて図示しないカセッテロック手段を解除するためのロック解除ピン２９を有する。
【００２２】
ローラ対３２に連設して、複数の搬送ローラ対３４ａ〜３４ｈ及び複数のガイド板３６ａ〜３６ｉが配設され、これらにより湾曲搬送路３８が構成される。ローラ対３２と搬送ローラ対３４ａとの間には、読取処理が終了した蓄積性蛍光体シート１６ａに残存する放射線画像情報を消去するための消去ユニット３９が配設される。消去ユニット３９は、消去光を出力する冷陰極管等の消去光源４１を有する。
【００２３】
画像読取装置１０の略中央部には、励起光であるレーザビームＬを導出して蓄積性蛍光体シート１６ａを走査する走査ユニット４０が配設される。走査ユニット４０は、レーザビームＬを出力するレーザ発振器４２と、レーザビームＬを蓄積性蛍光体シート１６ａの主走査方向に偏向する回転多面鏡であるポリゴンミラー４４と、レーザビームＬを反射させ、ガイド板３６ｅ上を通過する前記蓄積性蛍光体シート１６ａに導く反射ミラー４６とを備える。
【００２４】
搬送ローラ対３４ｅと走査ユニット４０との間には、読取ユニット４８が配設される。読取ユニット４８は、一端部がガイド板３６ｅ上の蓄積性蛍光体シート１６ａに近接して配置される集光ガイド５０と、集光ガイド５０の他端部に連結され、前記蓄積性蛍光体シート１６ａから得られた輝尽発光光を電気信号に変換するフォトマルチプライヤ５２とを備える。
【００２５】
蓄積性蛍光体シート１６ａの走査位置の上流には、前記蓄積性蛍光体シート１６ａの幅方向（搬送方向に交差する矢印Ｈ方向）の位置決めを行う本実施形態に係る幅寄せ装置５４が設けられる。
【００２６】
図２及び図３に示すように、幅寄せ装置５４は、蓄積性蛍光体シート１６ａを湾曲姿勢で幅寄せ位置に一旦保持するための保持機構５６と、前記蓄積性蛍光体シート１６ａの幅寄せ基準機構５８側に対向する押し込み側に配置され、前記蓄積性蛍光体シート１６ａを該幅寄せ基準機構５８側に押圧して幅寄せを行う幅寄せ機構６０とを備える。
【００２７】
図２及び図４に示すように、保持機構５６は、蓄積性蛍光体シート１６ａの搬送方向一端縁部を保持する第１ガイド部材６２と、前記蓄積性蛍光体シート１６ａの搬送方向他端端縁部を保持する第２ガイド部材６４と、前記第１及び第２ガイド部材６２、６４の間で且つ該第１及び第２ガイド部材６２、６４とは反対側から前記蓄積性蛍光体シート１６ａを保持する第３ガイド部材６６とを設ける。
【００２８】
ガイド板３６ｂ〜３６ｄは、一体に構成されており、このガイド板３６ｄの先端には、複数の第１ガイド部材６２が一体的又は個別に設けられる。第１ガイド部材６２は、ガイド板３６ｄの先端側から上方向に所定の角度θ°だけ傾斜している（図４参照）。
【００２９】
第２ガイド部材６４は、実質的にガイド板３６ｂ（又は３６ｃ）により構成され、蓄積性蛍光体シート１６ａの搬送方向の長さに応じて位置が変更される。なお、第２ガイド部材６４は、例えば、搬送ローラ対３４ｃを構成する固定側のローラであってもよい。
【００３０】
第３ガイド部材６６は、蓄積性蛍光体シート１６ａの搬送方向に回転自在な複数のフリーローラを構成しており、前記複数のフリーローラは、取付板６８に支持されている。
【００３１】
幅寄せ基準機構５８は、図３及び図５に示すように、蓄積性蛍光体シート１６ａの幅方向（矢印Ｈ方向）の一端（図３中、矢印Ｈ１方向先端）に配置される複数の位置決め部材７０ａ〜７０ｃを備え、この位置決め部材７０ａ〜７０ｃは、回転駆動源７２により回転駆動される。回転駆動源７２の駆動軸７２ａには、歯車列７４が連結されるとともに、前記歯車列７４に回転カム部材７６が連結される（図５参照）。
【００３２】
回転カム部材７６には、偏心カム７８が固定され、偏心カム７８には、従動カム８０が当接するとともに、前記従動カム８０は、スライドベース８２に固定される。このスライドベース８２は、レール８４に沿って矢印Ｉ方向に進退可能に支持され、前記スライドベース８２には、所定の位置にそれぞれ複数、例えば、３つのラック部材８６ａ〜８６ｃが設けられる。
【００３３】
ラック部材８６ａ〜８６ｃは、位置決め部材７０ａ〜７０ｃの下端部に設けられるピニオン８８ａ〜８８ｃに噛合する。位置決め部材７０ａ〜７０ｃは、軸方向両端が回転自在に支持されるとともに、断面半円状の湾曲面９０ａ〜９０ｃと、平坦面９２ａ〜９２ｃとを備える。
【００３４】
幅寄せ機構６０は、図３及び図６に示すように、回転駆動源９６を備え、この回転駆動源９６の駆動軸９６ａには、歯車列９８を介して駆動歯車１００が連結される。駆動歯車１００は、矢印Ａ方向及び矢印Ｂ方向の両方向に回転自在である。駆動歯車１００は、回転軸１０２に軸着されるとともに、前記回転軸１０２には、従動歯車１０４と円柱状カム１０６とが、それぞれ図示しないワンウエイクラッチを介して連結される。
【００３５】
従動歯車１０４は、図示しないワンウエイクラッチを介して矢印Ａ方向にのみ回転する一方、円柱状カム１０６は、図示しないワンウエイクラッチを介して矢印Ｂ方向にのみ回転する。
【００３６】
従動歯車１０４には、それぞれ小径な歯車１０８ａ、１０８ｂが噛合するとともに、前記歯車１０８ａ、１０８ｂは、軸部材１１０ａ、１１０ｂに外装されて前記軸部材１１０ａ、１１０ｂと一体的に回転自在である。軸部材１１０ａ、１１０ｂは、両端が基台１１２に支持されており、前記軸部材１１０ａ、１１０ｂには、各蓄積性蛍光体シート１６ａ、１６ｂ及び１６ｃの幅寸法に応じて係止部材１１４ａ、１１４ｂと、１１６ａ、１１６ｂと、１１８ａ、１１８ｂとが所定の位置に固定される。
【００３７】
係止部材１１４ａ、１１６ａ及び１１８ａは、軸部材１１０ａに対してそれぞれ位相をずらして配置され、いずれかひとつが蓄積性蛍光体シート１６ａ、１６ｂ又は１６ｃの押し込み用角度位置に配置される際に、他の２つが押し込み動作に干渉することがない角度位置に配置される。係止部材１１４ｂ、１１６ｂ及び１１８ｂも同様に、軸部材１１０ｂに対してそれぞれの角度位置が設定される。
【００３８】
軸部材１１０ａ、１１０ｂには、連結板１２０が装着され、前記連結板１２０には、円柱状カム１０６に形成されているカム溝１０６ａに挿入されるガイドピン１２２が設けられる。カム溝１０６ａは、円柱状カム１０６の外周に周回して設けられるとともに、矢印Ｈ方向に傾斜している。カム溝１０６ａの矢印Ｈ方向への移動距離は、蓄積性蛍光体シート１６ａ、１６ｂ及び１６ｃの幅寄せ距離に対応して設定される。
【００３９】
図７に示すように、軸部材１１０ａの軸線は、矢印Ｉ方向に対して位置決め部材７０ａ、７０ｂ間に配置される一方、軸部材１１０ｂの軸線は、矢印Ｉ方向に対して前記位置決め部材７０ｂと略同一位置に配置される。最大サイズの蓄積性蛍光体シート１６ａは、係止部材１１４ａ、１１４ｂと位置決め部材７０ａ〜７０ｃとにより幅寄せされるとともに、最小サイズの蓄積性蛍光体シート１６ｃは、係止部材１１８ａ、１１８ｂと位置決め部材７０ａ、７０ｂとにより幅寄せされる。
【００４０】
本実施形態に係る幅寄せ装置５４及びこれを組み込む画像読取装置１０は、以上のように構成されるものであり、次に、その動作について説明する。
【００４１】
先ず、例えば、放射線画像情報が記録された蓄積性蛍光体シート１６ａを収納したカセッテ１８ａは、画像読取装置１０に供給される。カセッテ１８ａは、蓋部材２４を下にしてカセッテ装填部１４の装填口１５に装填される。この蓋部材２４は、ロック解除機構２８を介してロックが解除される。
【００４２】
次いで、カセッテ１８ａ内の蓄積性蛍光体シート１６ａは、吸着盤３０の吸引作用下に前記カセッテ１８ａから取り出される。カセッテ１８ａから取り出された蓄積性蛍光体シート１６ａの先端がローラ対３２に挟持されるのと略同時に、吸着盤３０による前記蓄積性蛍光体シート１６ａの吸着保持が解除される。
【００４３】
これにより、蓄積性蛍光体シート１６ａは、ローラ対３２の回転作用下に鉛直下方向に向かって搬送される。この蓄積性蛍光体シート１６ａは、搬送ローラ対３４ａ〜３４ｈ及びガイド板３６ａ〜３６ｉからなる湾曲搬送路３８によって搬送される。
【００４４】
蓄積性蛍光体シート１６ａは、搬送ローラ対３４ｂ、３４ｃが同期して駆動されることにより幅寄せ装置５４に搬送されると、前記搬送ローラ対３４ｂ、３４ｃによる前記蓄積性蛍光体シート１６ａの挟持が解除される。その際、幅寄せ装置５４では、予め、画像読取装置１０に装填された蓄積性蛍光体シート１６ａの幅寸法に応じて幅寄せ機構６０による調整作業が行われている。
【００４５】
具体的には、図６に示すように、回転駆動源９６の作用下に、歯車列９８を介して駆動歯車１００が矢印Ａ方向に回転される。このため、回転軸１０２にワンウエイクラッチを介して連結されている従動歯車１０４が矢印Ａ方向に回転し、前記従動歯車１０４に噛合する歯車１０８ａ、１０８ｂが矢印Ｃ方向に回転する。
【００４６】
従って、歯車１０８ａ、１０８ｂが固着されている軸部材１１０ａ、１１０ｂは、矢印Ｃ方向に所定の角度だけ回転し、前記軸部材１１０ａ、１１０ｂに装着されている係止部材１１４ａ、１１４ｂは、蓄積性蛍光体シート１６ａの側部に係合する姿勢に配置される（図３参照）。なお、他の係止部材１１６ａ、１１６ｂ及び１１８ａ、１１８ｂは、蓄積性蛍光体シート１６ａから離間する角度位置に配置される。
【００４７】
一方、幅寄せ基準機構５８では、蓄積性蛍光体シート１６ａの幅寄せを行うために位置決め部材７０ａ〜７０ｃが駆動される。すなわち、通常、蓄積性蛍光体シート１６ａ（１６ｂ、１６ｃ）の搬送時には、図３に示すように、前記蓄積性蛍光体シート１６ａ（１６ｂ、１６ｃ）の搬送に干渉することがないように、位置決め部材７０ａ〜７０ｃは、それぞれの平坦面９２ａ〜９２ｃが該蓄積性蛍光体シート１６ａ（１６ｂ、１６ｃ）の基準側端面に対向している。
【００４８】
そこで、蓄積性蛍光体シート１６ａの幅寄せを行う際には、図５に示すように、回転駆動源７２の駆動作用下に歯車列７４を介して回転カム部材７６が回転される。この回転カム部材７６の偏心カム７８には、従動カム８０が当接しており、前記従動カム８０は、スライドベース８２と一体的に矢印Ｉ方向に移動する。
【００４９】
スライドベース８２には、それぞれ位置決め部材７０ａ〜７０ｃに対応してラック部材８６ａ〜８６ｃが設けられている。従って、ラック部材８６ａ〜８６ｃとピニオン８８ａ〜８８ｃを介して位置決め部材７０ａ〜７０ｃが１８０度反転し、それぞれの湾曲面９０ａ〜９０ｃが蓄積性蛍光体シート１６ａの基準側端面に対向して配置される。
【００５０】
次いで、蓄積性蛍光体シート１６ａが幅寄せ位置に配置されるとともに、搬送ローラ対３４ｂ〜３４ｃによる挟持が解除されると、幅寄せ機構６０を構成する回転駆動源９６は、前記とは逆方向に回転駆動される。このため、図６に示すように、歯車列９８を介して駆動歯車１００が矢印Ｂ方向に回転し、回転軸１０２と一体的に円柱状カム１０６が矢印Ｂ方向に回転する。
【００５１】
円柱状カム１０６には、カム溝１０６ａが形成されており、このカム溝１０６ａに挿入されるガイドピン１２２は、前記カム溝１０６ａの形状に沿って幅寄せ基準機構５８側（矢印Ｈ１方向）に所定距離だけ移動する。ガイドピン１２２は、連結板１２０に設けられるとともに、この連結板１２０が軸部材１１０ａ、１１０ｂに固定されている。従って、軸部材１１０ａ、１１０ｂは、矢印Ｈ１方向に所定距離だけ移動し、係止部材１１４ａ、１１４ｂは、蓄積性蛍光体シート１６ａの基準側とは反対側の側部を矢印Ｈ１方向に押圧する。
【００５２】
これにより、蓄積性蛍光体シート１６ａは、基準側端面を幅寄せ基準機構５８の複数の位置決め部材７０ａ〜７０ｃの湾曲面９０ａ〜９０ｃに接触させて支持され、前記蓄積性蛍光体シート１６ａの幅寄せが行われる。その際、図７に示すように、軸部材１１０ａの軸線は、矢印Ｉ方向に対して位置決め部材７０ａ、７０ｂ間に配置される一方、軸部材１１０ｂの軸線は、矢印Ｉ方向に対して前記位置決め部材７０ｂと略同一位置に配置されている。このため、特に回転させ難い大サイズの蓄積性蛍光体シート１６ａであっても、容易にモーメントを発生させることができ、前記蓄積性蛍光体シート１６ａを確実に幅寄せすることが可能になる。
【００５３】
この場合、本実施形態では、搬送ローラ対３４ｂ、３４ｃを介して幅寄せ装置５４の幅寄せ位置に蓄積性蛍光体シート１６ａが搬送されると、この搬送ローラ対３４ｂ、３４ｃによる挟持が解除される。その際、蓄積性蛍光体シート１６ａは、図４に示すように、励起光照射面側とは反対の面側先端縁部が第１ガイド部材６２に保持されるとともに、後端縁部が第２ガイド部材６４に保持され、さらに、前記蓄積性蛍光体シート１６ａの励起光照射面側が第３ガイド部材６６により保持されている。
【００５４】
このため、蓄積性蛍光体シート１６ａは、それぞれ固定型の第１〜第３ガイド部材６２、６４及び６６を介して少なくとも３点で支持されており、この蓄積性蛍光体シート１６ａを湾曲姿勢で確実に保持することができる。従って、蓄積性蛍光体シート１６ａを支持するためにアクチュエータを用いる必要がなく、保持機構５６の構成が一挙に簡素化されて、経済的であるという効果が得られる。
【００５５】
これにより、幅寄せ装置５４全体としてアクチュエータを有効に削減することができ、前記幅寄せ装置５４の小型化を図るとともに、該幅寄せ装置５４を経済的に構成することができるという利点がある。
【００５６】
なお、幅寄せ機構６０では、蓄積性蛍光体シート１６ａよりも幅寸法の小さな蓄積性蛍光体シート１６ｂ又は１６ｃが使用される際には、係止部材１１６ａ、１１６ｂ又は１１８ａ、１１８ｂが押し込み角度姿勢に姿勢変換される。このため、蓄積性蛍光体シート１６ｂ又は１６ｃの幅寄せ処理は、効率的且つ確実に遂行される。
【００５７】
上記のように幅寄せ処理が終了した蓄積性蛍光体シート１６ａは、図１に示すように、搬送ローラ対３４ｄ、３４ｅ間で副走査搬送されるとともに、走査ユニット４０から射出されたレーザビームＬが副走査方向と直交する主走査方向に前記蓄積性蛍光体シート１６ａを走査する。すなわち、レーザ発振器４２から出力されたレーザビームＬは、高速で回転するポリゴンミラー４４によって反射偏向された後、反射ミラー４６を介して蓄積性蛍光体シート１６ａに導かれる。
【００５８】
一方、レーザビームＬが照射された蓄積性蛍光体シート１６ａは、蓄積記録されている放射線画像情報に応じた輝尽発光光を出力する。この輝尽発光光は、蓄積性蛍光体シート１６ａの主走査方向に沿って近接配置された集光ガイド５０を介して読取ユニット４８を構成するフォトマルチプライヤ５２に導かれる。
【００５９】
このようにして放射線画像情報の読み取られた蓄積性蛍光体シート１６ａは、搬送ローラ対３４ｈ側まで搬送された後、湾曲搬送路３８により逆転搬送され、搬送ローラ対３４ａ、ローラ対３２間に配置される消去ユニット３９を通してカセッテ１８ａに収容される。
【００６０】
このとき、消去ユニット３９を構成する消去光源４１が点灯し、出力される消去光が蓄積性蛍光体シート１６ａに照射されることで、残存する放射線エネルギが除去される。放射線エネルギの除去された蓄積性蛍光体シート１６ａを収容したカセッテ１８ａは、画像読取装置１０から抜き取られた後、次なる放射線画像情報の撮影に供される。
【図面の簡単な説明】
【００６１】
【図１】本発明のシート体の幅寄せ装置が適用される画像読取装置の内部構成図である。
【図２】前記幅寄せ装置を構成する保持機構の要部斜視説明図である。
【図３】前記幅寄せ装置を構成する幅寄せ基準機構及び幅寄せ機構の要部斜視説明図である。
【図４】蓄積性蛍光体シートが前記保持機構により３点で支持された状態の説明図である。
【図５】前記幅寄せ基準機構の説明図である。
【図６】前記幅寄せ機構の要部斜視説明図である。
【図７】前記幅寄せ機構の要部平面説明図である。
【符号の説明】
【００６２】
１０…画像読取装置                  １４…カセッテ装填部
１６ａ〜１６ｃ…蓄積性蛍光体シート  １８ａ〜１８ｃ…カセッテ
３０…吸着盤                        ３４ａ〜３４ｈ…搬送ローラ対
３６ａ〜３６ｉ…ガイド板            ３８…湾曲搬送路
３９…消去ユニット                  ４０…走査ユニット
４８…読取ユニット                  ５４…幅寄せ装置
５６…保持機構                      ５８…幅寄せ基準機構
６０…幅寄せ機構                    ６２、６４、６６…ガイド部材
７０ａ〜７０ｃ…位置決め部材        ７２、９６…回転駆動源
７６…回転カム部材                  ８０…従動カム
１００…駆動歯車                    １０２…回転軸
１０４…従動歯車                    １０６…円柱状カム
１１０ａ、１１０ｂ…軸部材
１１４ａ、１１４ｂ、１１６ａ、１１６ｂ、１１８ａ、１１８ｂ…係止部材
【図１】
2006176263.tif 000003
【図２】
2006176263.tif 000004
【図３】
2006176263.tif 000005
【図４】
2006176263.tif 000006
【図５】
2006176263.tif 000007
【図６】
2006176263.tif 000008
【図７】
2006176263.tif 000009